(57)【要約】      （修正有）【課題】ユーザがＭＦＰの外付電話機のハンドセットを持ち上げることなく、外付電話機が電話接続端子に接続されているか否かを検出する。【解決手段】ＭＦＰ１は、電話接続端子２０の接続先を、接続線Ｌ１１，Ｌ１２と擬似鳴動回路５０との間で選択的に切り替えるリレー５Ａ、５Ｂと、電話接続端子とリレー５Ａ、５Ｂとを接続する接続線Ｌ２１、Ｌ２２又はリレー５Ａ、５Ｂと擬似鳴動回路とを接続する接続線Ｌ３１，Ｌ３２のいずれかに流れる電流を検出するＤＣループ検知部６０と、を備える。ＡＳＩＣ３は、電話接続端子の接続先を接続線Ｌ１１、Ｌ１２から擬似鳴動回路に接続するようにリレー５Ａ、５Ｂを切り替えさせ、かつ、擬似鳴動回路のグランドとの接続を非導通から導通に切り替えさせ、ＤＣループ検知部６０が所定値以上の電流を検出した場合、電話接続端子に外付電話機５２が接続されていると決定する。【選択図】図１
2020039031.tif 000002
【特許請求の範囲】
【請求項１】
電話回線と接続可能な回線接続端子と、
外付電話機と接続可能な電話接続端子と、
前記回線接続端子と第１通電経路を介して接続する通信部と、
グランドと接続し、前記グランドとの導通および非導通を切り替えて擬似鳴動信号を前記電話接続端子に出力する擬似鳴動回路部と、
前記電話接続端子の接続先を、前記第１通電経路と前記擬似鳴動回路部との間で選択的に切り替えるリレー部と、
前記電話接続端子と前記リレー部とを接続する第２通電経路、又は、前記リレー部と前記擬似鳴動回路部とを接続する第３通電経路、の少なくともいずれかに流れる電流を検出する電流検出部と、
制御部と、
を備え、
前記制御部は、
前記電話接続端子の接続先を前記第１通電経路から前記擬似鳴動回路部に接続するように前記リレー部を切り替えさせ、かつ、前記擬似鳴動回路部の前記グランドとの接続を非導通から導通に切り替えさせ、前記電流検出部が所定値以上の電流を検出した場合、前記電話接続端子に前記外付電話機が接続されていると決定する外付電話機接続決定処理、
を実行する通信装置。
【請求項２】
請求項１記載の通信装置であって、
前記擬似鳴動回路部は、
前記第３通電経路に第１電圧を印加する第１電圧印加部を有し、
前記通信部は、
前記回線接続端子に印加される電圧を検出する回線電圧検出部を有し、
前記制御部は、
前記外付電話機接続決定処理において、
前記回線電圧検出部が検出する前記電圧が前記第１電圧未満である場合、
前記リレー部を用いて、前記電話接続端子の接続先を前記第１通電経路から前記擬似鳴動回路部に切り替えさせ、その後、第１所定時間の間、待機させた後、
前記擬似鳴動回路部の前記グランドとの接続を非導通から導通に切り替えさせ、前記電流検出部が前記所定値以上の電流を検出した際、前記電話接続端子に前記外付電話機が接続されていると決定する、
ことを特徴とする通信装置。
【請求項３】
請求項２記載の通信装置であって、
前記制御部は、
前記外付電話機接続決定処理において、
前記回線電圧検出部が検出する前記電圧が前記第１電圧以上である場合、
前記リレー部を用いて、前記電話接続端子の接続先を前記第１通電経路から前記擬似鳴動回路部に切り替えさせ、その後、前記第１所定時間の間、待機させることなく、
前記擬似鳴動回路部の前記グランドとの接続を非導通から導通に切り替えさせ、前記電流検出部が前記所定値以上の電流を検出した際、前記電話接続端子に前記外付電話機が接続されていると決定する、
ことを特徴とする通信装置。
【請求項４】
請求項１記載の通信装置であって、
前記擬似鳴動回路部は、
前記第３通電経路に第１電圧を印加する第１電圧印加部を有し、
前記制御部は、
前記外付電話機接続決定処理において、
前記リレー部を用いて、前記電話接続端子の接続先を前記第１通電経路から前記擬似鳴動回路部に切り替えさせ、前記電流検出部が前記電流を検出するか否かを決定し、
前記電流検出部が前記電流を検出する第１の場合、前記電話接続端子に前記外付電話機が接続されていると決定し、
前記電流検出部が前記電流を検出しない第２の場合、第２所定時間待機させた後、前記擬似鳴動回路部の前記グランドとの接続を非導通から導通に切り替えさせ、前記電流検出部が前記所定値以上の電流を検出した際、前記電話接続端子に前記外付電話機が接続されていると決定する、
ことを特徴とする通信装置。
【請求項５】
請求項２から４のいずれか１項に記載の通信装置であって、
前記第１電圧印加部は、
前記擬似鳴動回路部の前記グランドとの接続が非導通の場合、前記第３通電経路に前記第１電圧を印加し、前記擬似鳴動回路部の前記グランドとの接続が導通の場合、前記第３通電経路に基準電圧を印加し、
前記擬似鳴動信号は前記基準電圧に振幅電圧を重畳させた信号である、
ことを特徴とする通信装置。
【請求項６】
請求項１記載の通信装置であって、
前記通信部は、
前記回線接続端子に印加される電圧を検出する回線電圧検出部、を有し、
前記擬似鳴動回路部は、
前記擬似鳴動回路部が前記第３通電経路に第２電圧を印加するか、印加しないかを切り替える第２電圧印加部、を有し、
前記制御部は、
前記外付電話機接続決定処理において、
前記回線電圧検出部が検出する前記電圧がゼロでない場合、
前記電話接続端子の接続先を前記第１通電経路から前記擬似鳴動回路部に接続するように前記リレー部を切り替えさせ、かつ、前記擬似鳴動回路部の前記グランドとの接続を非導通から導通に切り替えさせ、その状態にて第３所定時間の間、待機し、
その後、前記擬似鳴動回路部の前記グランドとの接続を導通から非導通に切り替えさせてから、前記第２電圧印加部を用いて前記第３通電経路に前記第２電圧を印加させ、
前記電流検出部が前記所定値以上の電流を検出した場合、前記電話接続端子に前記外付電話機が接続されていると決定する、
ことを特徴とする通信装置。
【請求項７】
請求項６記載の通信装置であって、
前記制御部は、
前記外付電話機接続決定処理において、
前記回線電圧検出部が検出する前記電圧がゼロである場合、
前記擬似鳴動回路部の前記グランドとの接続が非導通であって、かつ、前記電話接続端子の接続先を前記第１通電経路から前記擬似鳴動回路部に接続するように前記リレー部を切り替えさせ、かつ、前記第２電圧印加部を用いて前記第３通電経路に前記第２電圧を印加させ、
前記電流検出部が前記電流を検出した場合、前記電話接続端子に前記外付電話機が接続されていると決定する、
ことを特徴とする通信装置。
【請求項８】
請求項６又は７に記載の通信装置であって、
前記第２電圧印加部は、
前記擬似鳴動回路部の前記グランドとの接続が非導通の場合、前記第３通電経路に前記第２電圧を印加し、前記擬似鳴動回路部の前記グランドとの接続が導通の場合、前記第３通電経路に基準電圧を印加し、
前記擬似鳴動信号は前記基準電圧に振幅電圧を重畳させた信号である、
ことを特徴とする通信装置。
【請求項９】
請求項１から８のいずれか１項に記載の通信装置であって、
前記回線接続端子は、回線接続第１端子と回線接続第２端子の２つの端子を備え、
前記電話接続端子は、電話接続第１端子と電話接続第２端子の２つの端子を備え、
前記リレー部は、第１リレー部と第２リレー部を備え、
前記第１通電経路は一対の第１通電線、前記第２通電経路は一対の第２通電線、前記第３通電経路は一対の第３通電線であって、
前記回線接続第１端子と前記通信部とが一方の前記第１通電線によって接続され、前記回線接続第２端子と前記通信部とが他方の前記第１通電線によって接続され、
前記電話接続第１端子と前記第１リレー部とが一方の前記第２通電線によって接続され、前記電話接続第２端子と前記第２リレー部とが他方の前記第２通電線によって接続され、
前記第１リレー部と前記擬似鳴動回路部とは、一方の前記第３通電線によって接続され、前記第２リレー部は他方の前記第３通電線によって前記グランドと直接接続され、
前記第１リレー部は、
前記電話接続第１端子と接続されていない前記一方の前記第２通電線の接続先を、前記他方の前記第１通電線と前記擬似鳴動回路部との間で選択的に切り替え、
前記第２リレー部は、
前記電話接続第２端子と接続されていない前記他方の前記第２通電線の接続先を、前記一方の前記第１通電線と前記グランドとの間で選択的に切り替え、
前記電流検出部は、
前記一方の前記第２通電線、又は、前記一方の前記第３通電線の少なくともいずれかに配置されている、
ことを特徴とする通信装置。
【請求項１０】
請求項１から９のいずれか１項に記載の通信装置であって、
前記制御部は、
前記外付電話機接続決定処理を定期的に実行する、
通信装置。
【請求項１１】
請求項１から９のいずれか１項に記載の通信装置であって、
動作モードとして、前記通信部によるファクシミリ機能のみを使用するＦＡＸモードと、前記通信部によるファクシミリ機能及び前記外付電話機による通話機能の双方を使用するＦ／Ｔモードと、を有し、
前記制御部は、
前記外付電話機接続決定処理での検出結果が前記外付電話機の接続を検出した場合で、前記動作モードが前記ＦＡＸモードであった場合には、当該動作モードを前記ＦＡＸモードから前記Ｆ／Ｔモードに切り替える、
通信装置。
【請求項１２】
請求項１１に記載の通信装置であって、
前記制御部は、
前記外付電話機接続決定処理での検出結果が前記外付電話機の接続を検出しない場合で、前記動作モードが前記Ｆ／Ｔモードであった場合には、当該動作モードを前記Ｆ／Ｔモードから前記ＦＡＸモードに切り替える、
通信装置。
【発明の詳細な説明】
【技術分野】
【０００１】
本発明は、外付電話機が接続可能な電話接続端子を備えた通信装置に関する。
【背景技術】
【０００２】
従来、電話回線に接続可能な回線接続端子と外付電話機と接続可能な電話接続端子とを備え、ファクシミリ機能のみを使用するＦＡＸモードと、ファクシミリ機能及び外付電話機の通話機能の双方を使用するＦ／Ｔモードを切り替えて使用する通信装置がある。
【０００３】
その通信装置では、デフォルト状態ではＦＡＸモードが設定されている。通信装置がＦＡＸモードに設定されている場合、ユーザは、通信装置の電話接続端子に接続されている外付電話機を使用することができない。そこで、特許文献１のファクシミリ装置は、外付電話機のハンドセットをユーザが持ち上げることによって生じる、ファクシミリ装置内部の通電経路に流れる電流を検出する。そして、特許文献１のファクシミリ装置は、その通電経路の電流を検出すると、ＦＡＸモードからＦ／Ｔモードへの設定の切り替えを促す表示を表示部に表示させていた。
【先行技術文献】
【特許文献】
【０００４】
【特許文献１】特開２０１５−１９５５０４号公報
【発明の概要】
【発明が解決しようとする課題】
【０００５】
特許文献１記載の通信装置（ファクシミリ装置）は、ユーザが外付電話機のハンドセットを持ち上げた場合は、外付電話機が電話接続端子に接続されていると検出することができる。しかし、ユーザが外付電話機のハンドセットを持ち上げない場合は、通信装置は、外付電話機が電話接続端子に接続されているか否かを検出することができないという問題があった。
【０００６】
本発明では、ユーザが外付電話機のハンドセットを持ち上げることなく、外付電話機が電話接続端子に接続されているか否かを検出することができる通信装置を開示する。
【課題を解決するための手段】
【０００７】
上記目的を達成するために、本願発明は、電話回線と接続可能な回線接続端子と、外付電話機と接続可能な電話接続端子と、前記回線接続端子と第１通電経路を介して接続する通信部と、グランドと接続し、前記グランドとの導通および非導通を切り替えて擬似鳴動信号を前記電話接続端子に出力する擬似鳴動回路部と、前記電話接続端子の接続先を、前記第１通電経路と前記擬似鳴動回路部との間で選択的に切り替えるリレー部と、前記電話接続端子と前記リレー部とを接続する第２通電経路、又は、前記リレー部と前記擬似鳴動回路部とを接続する第３通電経路、の少なくともいずれかに流れる電流を検出する電流検出部と、制御部と、を備え、前記制御部は、前記電話接続端子の接続先を前記第１通電経路から前記擬似鳴動回路部に接続するように前記リレー部を切り替えさせ、かつ、前記擬似鳴動回路部の前記グランドとの接続を非導通から導通に切り替えさせ、前記電流検出部が所定値以上の電流を検出した場合、前記電話接続端子に前記外付電話機が接続されていると決定する外付電話機接続決定処理、を実行することを特徴とする。
【０００８】
通信装置に電話接続端子を介して外付電話機が接続されている場合において、リレー部が電話接続端子と第１通電経路とを接続している状態では、外付電話機のコンデンサに電荷が蓄えられる。電話回線から回線接続端子に入力される回線電圧が、第１通電経路、リレー部、第２通電経路を経由して、外付電話機が有するコンデンサに電荷を蓄えることによるものである。
本構成の通信装置では、制御部は、リレー部を用いて電話接続端子の接続先を第１通電経路から擬似鳴動回路部に切り替え、かつ、擬似鳴動信号を生成する際に使用されるグランドを利用して、擬似鳴動回路部の前記グランドとの接続を非導通から導通に切り替えることで、電話接続端子とグランドとの間に通電経路を形成する。
外付電話機が電話接続端子に接続されている場合、外付電話機のコンデンサに蓄えられた電荷が、電話接続端子、第２通電経路、リレー部、第３通電経路、擬似鳴動回路部を経て、グランドに流れ込む。電流検出部がその所定値以上の電流を検出するか否かによって、本構成の通信装置の制御部は、通信装置に電話接続端子を介して外付電話機が接続されているか否かを決定することができる。
【発明の効果】
【０００９】
本発明によれば、ユーザが外付電話機のハンドセットを持ち上げることなく、外付電話機が電話接続端子に接続されているか否かを検出することができる。
【図面の簡単な説明】
【００１０】
【図１】本発明の第１実施形態に係るＭＦＰの電気的構成を表すブロック図である。
【図２】ループ検知部の詳細構成を表す回路図である。
【図３】擬似鳴動信号の波形を表すグラフである。
【図４】ＡＳＩＣのＣＰＵが実行する制御手順を表すメインフローである。
【図５】第１外付電話機接続決定処理（ステップＳ１００）の詳細手順を表すフローチャートである。
【図６】第２外付電話機接続決定処理（ステップＳ２００）の詳細手順を表すフローチャートである。
【図７】本発明の第２実施形態に係るＭＦＰの電気的構成を表すブロック図である。
【図８】ＡＳＩＣのＣＰＵが実行する制御手順を表すメインフローである。
【図９】第３外付電話機接続決定処理（ステップＳ３００）の詳細手順を表すフローチャートである。
【図１０】第４外付電話機接続決定処理（ステップＳ４００）の詳細手順を表すフローチャートである
【図１１】本発明の第３実施形態に係るＭＦＰのＡＳＩＣのＣＰＵが実行する制御手順を表すメインフローである。
【図１２】第５外付電話機接続決定処理（ステップＳ５００）の詳細手順を表すフローチャートである。
【発明を実施するための形態】
【００１１】
以下では、本発明の実施の形態について、添付図面を参照しつつ詳細に説明する。以下の各実施形態は、本発明を、ＭＦＰ（Ｍｕｌｔｉ−Ｆｕｎｃｔｉｏｎ  Ｐｅｒｉｐｈｅｒａｌ）１に適用した場合の実施形態である。ＭＦＰは、ファクシミリ通信機能、外付電話機の中継機能、コピー機能、スキャナ機能などの複数の機能を備える。
【００１２】
本発明の第１実施形態について、図１〜図６により説明する。
【００１３】
＜内部構成＞
図１において、ＭＦＰ１は、回線接続端子１０と、電話接続端子２０と、ＦＡＸ通信部３０と、特定用途向け集積回路であるＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）３と、リレー５Ａ，５Ｂと、擬似鳴動回路５０と、図示しない画像形成部および画像読取部と、を備える。なお、なお、ＭＦＰ１は、通信装置の一例であり、ＦＡＸ通信部３０は、通信部の一例であり、ＡＳＩＣ３は、制御部の一例である。リレー５Ａ、５Ｂは、リレー部の一例であり、リレー５Ａは第１リレー部の一例であり、リレー５Ｂは第２リレー部の一例である。
【００１４】
ＦＡＸ通信部３０は、回線接続端子１０に接続される。回線接続端子１０には、電話回線５１が着脱可能に接続される。ＦＡＸ通信部３０は、電話回線５１を介して接続される交換機を介して、相手先のファックス装置からＦＡＸ画像データを受信、又は、相手先のファックス装置に対してＦＡＸ画像データを送信することが可能となる。電話接続端子２０には、外付電話機５２が着脱可能に接続される。電話回線５１は、交換機からＭＦＰ１側へ通信用の直流電圧を供給するための第１ラインＬ１及び第２ラインＬ２を備えている。電話回線５１が公衆回線網である場合は、通信用の直流電圧は例えば４８Ｖである。
【００１５】
回線接続端子１０は、電話回線５１の第１ラインＬ１が接続可能な端子１１と、電話回線５１の第２ラインＬ２が接続可能な端子１２と、を備えている。端子１１は回線接続第１端子の一例であり、端子１２は回線接続第２端子の一例である。端子１１，１２は、それぞれ接続線Ｌ１１，Ｌ１２が接続されている。接続線Ｌ１１，Ｌ１２の一端はそれぞれ端子１１，１２に接続され、接続線Ｌ１１，Ｌ１２の他端は後述するＤＡＡ１３に接続される。接続線Ｌ１１は一方の第１通電線の一例であり、接続線Ｌ１２は他方の第１通電線の一例である。接続線Ｌ１１，Ｌ１２が一対の第１通電線の一例であるとともに、第１通電経路の一例である。
【００１６】
電話接続端子２０は、端子２１と端子２２とを備えている。端子２１が電話接続第１端子の一例であり、端子２２が電話接続第２端子の一例である。端子２１，２２は、それぞれ接続線Ｌ２１，Ｌ２２が接続されている。接続線Ｌ２１，Ｌ２２の一端はそれぞれ端子２１，２２に接続され、接続線Ｌ２１，Ｌ２２の他端はそれぞれ後述するリレー５Ａ，５Ｂにそれぞれ接続される。
【００１７】
画像形成部は、ＦＡＸ通信部３０が受信した画像データをシートに画像形成することができる。  画像読取部は、シートに形成された画像をシートから読み取り、画像データとして記憶させる。
【００１８】
＜リレー＞
リレー５Ａ，５Ｂは、それぞれ可動接点を備えている。リレー５Ａの可動接点が図１中のＡ位置に切り替えられると、接続線Ｌ２１が接続線Ｌ２３に接続される。接続線Ｌ２３の一端はリレー５Ａに接続され、接続線Ｌ２３の他端は接続線Ｌ１２に接続されている。すなわち、端子２１は接続線Ｌ２１及び接続線Ｌ２３を介して接続線Ｌ１２に接続される。
リレー５Ｂの可動接点が図１中のＡ位置に切り替えられると、接続線Ｌ２２と接続線Ｌ２４とが接続される。接続線Ｌ２４の一端はリレー５Ｂに接続され、接続線Ｌ２４の他端は接続線Ｌ１１に接続されている。すなわち、端子２２は接続線Ｌ２２及び接続線Ｌ２４を介して接続線Ｌ１１に接続される。この場合、回線接続端子１０と電話接続端子２０とは電気的に接続される。そのため、外付電話機５２も、各接続線Ｌ２１，Ｌ２３，Ｌ１２及び接続線Ｌ２２，Ｌ２４，Ｌ１１等を介して交換機と相互に通信を行うことができる。なお、接続線Ｌ２１が一方の第２通電線の一例であり、接続線Ｌ２２が他方の第２通電線の一例である。接続線Ｌ２１，Ｌ２２が一対の第２通電線の一例であるとともに、第２通電経路の一例である。
【００１９】
一方、リレー５Ａの可動接点が図１中のＢ位置に切り替えられると、接続線Ｌ２１が接続線Ｌ３１に接続される。接続線Ｌ３１の一端はリレー５Ａに接続され、接続線Ｌ３１の他端は擬似鳴動回路５０に接続されている。リレー５Ｂの可動接点が図１中のＢ位置に切り替えられると、接続線Ｌ２２と接続線Ｌ３２とが接続される。接続線Ｌ３２の一端はリレー５Ｂに接続され、接続線Ｌ３２の他端はグランドに接続されている。なお、接続線Ｌ３１が一方の第３通電線の一例であり、接続線Ｌ３２が他方の第３通電線の一例である。接続線Ｌ３１，Ｌ３２が一対の第３通電線の一例であるとともに、第３通電経路の一例である。
【００２０】
＜ＤＣループ検知部＞
また、接続線Ｌ２１には、ＤＣループ検知部６０が設けられている。なお、ＤＣループ検知部６０が電流検出部の一例である。ＤＣループ検知部６０は接続線Ｌ２１に流れる電流を検出するとともに、その検出される電流に応じた電圧をＡＳＩＣ３へと出力する。詳細には、図２に示すように、ＤＣループ検知部６０は、フォトカプラにより構成されており、２つのフォトダイオード６１，６２と、フォトトランジスタ６３と、を備えている。
【００２１】
フォトダイオード６１，６２は、接続線Ｌ２１に対し互いに並列に接続されている。フォトダイオード６１は、アノード側を端子２１へ向けカソード側をリレー５Ａへ向けて配置されている。フォトダイオード６２は、アノード側をリレー５Ａへ向けカソード側を端子２１へ向けて配置されている。これにより、フォトダイオード６１は、接続線Ｌ２１において端子２１側からリレー５Ａ側へ流れるときに電流が流れ、そのときの電流の増減に応じて、発光ダイオードの発光量が増減する。フォトダイオード６２は、接続線Ｌ２１においてリレー５Ａ側から端子２１側へ流れるときに電流が流れ、そのときの電流の増減に応じて、発光ダイオードの発光量が増減する。
【００２２】
フォトトランジスタ６３は、コレクタがＡＳＩＣ３に接続されるとともに、エミッタがグランドに接続される。フォトトランジスタ６３は、フォトダイオード６１，６２からの光でベース入力電流を入力する。フォトダイオード６１又はフォトダイオード６２からの発光量の増減に応じて、フォトトランジスタ６３を流れる電流が変化し、これによってＡＳＩＣ３に入力される電圧が変化する。この結果、接続線Ｌ２１を流れる電流の向きがいずれであっても、その電流の大きさを検出することができる。
【００２３】
なお、ＤＣループ検知部６０を接続線Ｌ３１に設けてもよい。この場合、フォトダイオード６１は、アノード側をリレー５Ａへ向けカソード側を擬似鳴動回路５０へ向けて配置される。フォトダイオード６２は、アノード側を擬似鳴動回路５０へ向けカソード側をリレー５Ａへ向けて配置される。これにより、上述と同様、接続線Ｌ３１を流れる電流の向きがいずれであっても、その電流の大きさを検出することができる。
【００２４】
＜擬似鳴動回路＞
図１に戻り、擬似鳴動回路５０は、電圧印加回路５４と、昇圧回路５５と、ＮＰＮトランジスタ５７と、を備えている。なお、擬似鳴動回路５０は、擬似鳴動回路部の一例であり、電圧印加回路５４は、第１電圧印加部の一例である。
る。
【００２５】
ＮＰＮトランジスタ５７は、コレクタが抵抗５６を介し接続線Ｌ３１に接続されている。ＮＰＮトランジスタ５７のエミッタはグランドに接続されている。ＮＰＮトランジスタ５７のベースには、ＡＳＩＣ３のＣＰＵ４０が接続されている。ＡＳＩＣ３のＣＰＵ４０からトランジスタの駆動制御信号であるＧＩＪＩ信号が出力され、ＮＰＮトランジスタ５７のベースに入力されると、ＮＰＮトランジスタ５７がオンする。ＮＰＮトランジスタ５７がオンすると、接続線Ｌ３１からの電流が抵抗５６を介しＮＰＮトランジスタ５７のコレクタから流入し、ＮＰＮトランジスタ５７のエミッタからグランドへと流れる。すなわち、ＮＰＮトランジスタ５７がオンするかどうかによって、擬似鳴動回路５０は、グランドとの導通および非導通が切り替えられる。
【００２６】
電圧印加回路５４は、カソード側が接続線Ｌ３１に接続された整流ダイオード５３と、整流ダイオード５３のアノード側に一端が接続された抵抗５８と、を有している。電圧印加回路５４は、ＮＰＮトランジスタ５７によるグランドとの接続が非導通である場合には、抵抗５８の他端側から、抵抗５８及び整流ダイオード５３を介し、接続線Ｌ３１に所定電圧を印加する機能を有する。所定電圧はこの例では２４Ｖであり、第１電圧の一例である。電圧印加回路５４は、ＮＰＮトランジスタ５７によるグランドとの接続が導通である場合には、抵抗５８の他端側から、抵抗５８及び整流ダイオード５３を介し、接続線Ｌ３１に接続されている。ＡＳＩＣ３がＮＰＮトランジスタ５７へＧＩＪＩ信号としてオン信号を出力すると、接続線Ｌ３１がグランド（ＧＮＤ）に導通する。すると、電圧印加回路５４の２４Ｖから抵抗５８、整流ダイオード５３に電流が流れ、接続線Ｌ３１には、電圧降下した電圧である１６Ｖが印加される。
【００２７】
昇圧回路５５は、接続線Ｌ３１に接続されている。昇圧回路５５がオフのときは、ＮＰＮトランジスタ５７がオンし接続線Ｌ３１がグランド（ＧＮＤ）に導通した状態で、電圧印加回路５４が接続線Ｌ３１に対し印加している基準電圧（１６Ｖ）が電話接続端子３０へ出力される。昇圧回路５５がオンのときは、ＮＰＮトランジスタ５７がオフの状態で、１８０Ｖが電話接続端子３０へ出力される。擬似鳴動回路５０は、図３に示すような擬似鳴動信号を生成し、リレー５Ａ、５Ｂの状態がＢ位置の状態で擬似鳴動信号を電話接続端子２０へ出力する機能を有する。
【００２８】
＜ＦＡＸ通信部の詳細＞
ＦＡＸ通信部３０は、データアクセスアレンジメント１３（以下適宜、「ＤＡＡ１３」と称する）と、トランス１４と、モデム４とを備えている。
【００２９】
＜ＤＡＡ＞
ＤＡＡ１３は、回線電圧検出部２３を備える。回線電圧検出部２３は、ＭＦＰ１がＦＡＸ受信する際、交換機が出力する回線電圧に変動成分を重畳させた信号である呼出信号を検出する。回線電圧検出部２３が呼出信号を受信する際は、交換機との間で閉回路が形成されている場合は、呼出信号を除く発信者番号通知信号や相手先のＦＡＸ装置から送信されるＦＡＸ画像データ等の各種ＦＡＸ信号をＤＡＡ１３が受信することができる。また、ＤＡＡ１３は、画像読取部により読み取られた画像データを、モデム４、トランス１４を介して送信することができる。
【００３０】
また回線電圧検出部２３は、接続線Ｌ１１，Ｌ１２間の開放状態において、端子１１，１２間、すなわち接続線Ｌ１１，Ｌ１２間の電圧値を計測する。計測した電圧値は、トランス１４を介し、後述するモデム４のレジスタ２５に書き込まれる。ここで、交換機は、例えば端子１１Ａ側をゼロ基準として端子１１Ｂ側に４８［Ｖ］が印加されるように、一定の回線電圧を印加している。したがって、端子１１，１２に電話回線５１が接続されている場合であって接続線Ｌ１１，Ｌ１２間の開放状態の場合、回線電圧検出部２３が、このときの回線電圧、すなわち開放電圧として４８［Ｖ］を検出する。そして、トランス１４を介し、レジスタ２５にその検出した電圧値４８［Ｖ］が書き込まれる。なお、説明の理解の容易のために、以下、開放電圧が４８［Ｖ］の場合を例にとって説明するが、開放電圧の値はこの４８［Ｖ］に限られるものではない。
【００３１】
＜モデム＞
モデム４は、トランス１４を介してＤＡＡ１３に接続されている。トランス１４は、絶縁状態を保持しつつモデム４とＤＡＡ１３とで情報をやり取りする回路である。すなわち、モデム４は、トランス１４を介して送られるＦＡＸ受信信号を復調し、ＡＳＩＣ３に出力、又は、ＡＳＩＣ３から送られるＦＡＸ送信データを変調して、トランス１４に出力することで、信号の変復調を行う。
【００３２】
また、モデム４は、ＣＰＵ２４とレジスタ２５とを有している。モデム４のＣＰＵ２４は、前述のようにして回線電圧検出部２３によって検出された電圧値および電流値を定期的に読み取って、レジスタ２５に書き込む。
【００３３】
＜ＡＳＩＣ＞
ＡＳＩＣ３は、ＣＰＵ４０と、レジスタ４２と、を備えている。ＣＰＵ４０は、ＡＳＩＣ３に入力される情報に基づいて、各種の処理のためのプログラムを実行する。そして、ＣＰＵ４０は、ＦＡＸ通信部３０、リレー５Ａ，５Ｂ、擬似鳴動回路５０、画像形成部および画像読取部、等を制御する。特に、図示を省略するが、ＡＳＩＣ３に備えられた適宜のメモリには、後述の図４〜図６、図８〜図１２等にそれぞれ示す各フローチャートを実行するための制御プログラムを含む、各種制御プログラムが記憶されている。ＡＳＩＣ３のＣＰＵ４０は、メモリから読み出したプログラムに従って各部の制御を行うとともに、後述する図４〜図６、図８〜図１２等にそれぞれ示す各フローチャートを実行する。
【００３４】
＜動作モードとモード不整合の発生＞
ＭＦＰ１は、動作モードとして、ＦＡＸ通信部３０によるファクシミリ機能のみを使用するＦＡＸモードと、ＦＡＸ通信部３０によるファクシミリ機能及び外付電話機５２による通話機能の双方を使用するＦ／Ｔモードとを、切替可能に有している。このため、例えば外付電話機５２が電話接続端子２０に接続されているにもかかわらず動作モードがＦＡＸモードになっている場合は、モード不整合となる。
【００３５】
＜ＡＳＩＣによる制御＞
そこで、本実施形態では、ＡＳＩＣ３により、外付電話機５２が電話接続端子２０に接続されていることを検出するための、以下の処理が実行される。
【００３６】
＜メインフロー  その１＞
図４は、ＭＦＰ１の電源がオンしてからオフするまでの一連のＦＡＸ送受信に関する処理を表し、ＡＳＩＣ３のＣＰＵ４０が、ＲＯＭ（不図示）に記憶されたプログラムに基づき実行する処理を表す、メインフローである。なお、以下の説明ではＳはステップを表す。
【００３７】
図４に示すように、この処理では、まずＳ５にて、初期状態として、リレー５Ａ，５Ｂが電話回線５１側であるＡ位置、ＮＰＮトランジスタ５７へのＧＩＪＩ信号がオフとなっている。
【００３８】
Ｓ１０では、回線電圧検出部２３が検出している電圧が０Ｖを超えているか否かが決定される。０Ｖである場合は（Ｓ１０：Ｎｏ）、回線接続端子１０に電話回線５１が接続されていないとみなされて、処理は後述のＳ２００の第２外付電話機接続決定処理へ移行する。０Ｖを超えている場合は（Ｓ１０：Ｙｅｓ）、処理はＳ１５へ移行する。
【００３９】
Ｓ１５では、回線電圧検出部２３が検出している電圧が１６Ｖ以上であるか否かが決定される。１６Ｖ未満である場合は（Ｓ１５：Ｎｏ）、回線接続端子１０に公衆回線網よりも電圧が小さいターミナルアダプタ等の電話回線５１が接続されているとみなされて、処理は後述のＳ２００の第２外付電話機接続決定処理へ移行する。１６Ｖ以上である場合は（Ｓ１５：Ｙｅｓ）、回線接続端子１０に公衆回線網の電話回線５１が接続されているとみなされて、処理はＳ１００の第１外付電話機接続決定処理へ移行する。
【００４０】
（イ）回線接続端子１０の端子間の電圧が１６Ｖ以上である場合、（ロ）回線接続端子１０に電話回線５１が接続されていない場合、（ハ）回線接続端子１に電話回線５１が接続されているが、回線接続端子１０の端子間の電圧が１６Ｖ未満である場合、の３つの場合がある。（イ）（ロ）（ハ）の３つの場合がある。
（イ）（ロ）（ハ）の３つの場合において、ＣＰＵ４０が実行する電話接続端子２０に外付電話機５２が接続されているか否かを決定する処理を変える必要がある。
【００４１】
＜第１外付電話機接続決定処理＞
（イ）の場合におけるＳ１００である第１外付電話機接続決定処理の詳細手順を図５に示す。
【００４２】
（イ）の場合のように、回線接続端子１０の端子間の電圧が１６Ｖ以上、例えば、公衆回線網などの電話回線５１が回線接続端子１０に接続されているとする。すると、公衆回線網の電話回線５１を介して接続される交換機が、回線接続端子１０（端子１１，端子１２）間に４８Ｖの回線電圧を印加する。
【００４３】
リレー５Ａ，５ＢがＡ位置にあるとき、一対の端子１１と１２、一対の接続線Ｌ１１とＬ１２、一対の接続線Ｌ２３とＬ２４、一対の接続線Ｌ２１とＬ２２を経て、電話接続端子２０（端子２１，端子２２）にも４８Ｖの回線電圧が印加される。
【００４４】
その結果、（イ）の場合であって、かつ、電話接続端子２０に外付電話機５２が接続されている場合、電話接続端子２０に印加される４８Ｖの回線電圧によって、外付電話機５２のコンデンサ５２Ａに電荷が蓄えられる。この事象を利用して、第１外付電話機接続決定処理では、（イ）の場合において、電話接続端子２０に外付電話機５２が接続されているか否かを決定する。
【００４５】
図５に示すように、この第１外付電話機接続決定処理では、まずＳ１０５にて、リレー５Ａ，５ＢがＡ位置からＢ位置（擬似鳴動回路５０側）に切り替えられる。ＣＰＵ４０は、Ｓ１１０では、ＮＰＮトランジスタ５７へのＧＩＪＩ信号をオンにする。
【００４６】
Ｓ１１５では、ＤＣループ検知部６０で所定値以上の電流が検出されたか否かが決定される。なお、所定値は、フォトダイオード６１、６２で検出可能な電流値である。所定値以上の電流が検出されない場合は（Ｓ１１５：ＮＯ）、処理は後述のＳ１４５へ移行する。所定値以上の電流が検出された場合は（Ｓ１１５：ＹＥＳ）、処理はＳ１２０へ移行する。
【００４７】
Ｓ１２０では、外付電話機５２が電話接続端子２０に接続されていると決定される。Ｓ１２５では、リレー５Ａ，５ＢがＡ位置に切り替えられる。Ｓ１３０では、ＮＰＮトランジスタ５７へのＧＩＪＩ信号がオフにされる。
【００４８】
Ｓ１３５では、動作モードがＦＡＸモードであるか否かが決定される。ＦＡＸモードでない場合は（Ｓ１３５：ＮＯ）、処理は図４に戻り後述のＳ２０に移行する。ＦＡＸモードであった場合は（Ｓ１３５：ＹＥＳ）、処理はＳ１４０へ移行する。Ｓ１４０では、動作モードがＦＡＸモードからＦ／Ｔモードへと切り替えられる。その後、処理は図４に戻り後述のＳ２０に移行する。
【００４９】
一方、Ｓ１１５において所定値以上の電流が検出されない場合は（Ｓ１１５：ＮＯ）、処理はＳ１４５へ移行する。
【００５０】
Ｓ１４５では、外付電話機５２が電話接続端子２０に接続されていないと決定される。Ｓ１５０では、リレー５Ａ，５ＢがＡ位置に切り替えられる。Ｓ１５５では、ＮＰＮトランジスタ５７へのＧＩＪＩ信号がオフにされる。
【００５１】
Ｓ１６０では、動作モードがＦ／Ｔモードであるか否かが決定される。Ｆ／Ｔモードでない場合は（Ｓ１６０：ＮＯ）、処理は図４に戻り後述のＳ２０に移行する。Ｆ／Ｔモードであった場合は（Ｓ１６０：ＹＥＳ）、処理はＳ１６５へ移行する。Ｓ１６５では、動作モードがＦ／ＴモードからＦＡＸモードへと切り替えられる。その後、処理は図４に戻り後述のＳ２０に移行する。なお、Ｓ１００で実行される処理が外付電話機接続決定処理の一例である。
【００５２】
（イ）の場合から、リレー５ＡがＡ位置からＢ位置に切り替えられ（Ｓ１０５）、かつ、ＡＳＩＣ３がＮＰＮトランジスタ５７へＧＩＪＩ信号としてオン信号を出力する（Ｓ１１０）と、接続線Ｌ３１がグランド（ＧＮＤ）に導通する。
【００５３】
すると、電圧印加回路５４は、接続線Ｌ３１がグランド（ＧＮＤ）に導通することによって、抵抗５８に流れる電流によって電圧降下が生じ、接続線Ｌ３１に２４Ｖから電圧降下した電圧である１６Ｖを印加することになる。
【００５４】
（イ）の場合であって、かつ、電話接続端子２０に外付電話機５２が接続されている場合、外付電話機５２のコンデンサ５２Ａに蓄えられた４８Ｖの電荷が一対の接続線Ｌ２１、
Ｌ２２を経てグランド（ＧＮＤ）に流れ込む。そのグランド（ＧＮＤ）に流れ込む電流をＤＣループ検知部６０によって検出する（Ｓ１１５：ＹＥＳ）ことで、ＣＰＵ４０は、電話接続端子２０に外付電話機５２が接続されていると決定することができる。
【００５５】
＜第２外付電話機接続決定処理＞
Ｓ２００である第２外付電話機接続決定処理の詳細手順を図６に示す。図６に示すように、この第２外付電話機接続決定処理では、まずＳ２０５にて、リレー５Ａ，５ＢがＡ位置からＢ位置（擬似鳴動回路５０側）に切り替えられる。Ｓ２０７では、所定時間待機する。この所定時間が、第１所定時間の一例である。
【００５６】
（ロ）（ハ）の場合、（イ）の場合のように回線接続端子１０の端子間に１６Ｖ以上の回線電圧が印加されていない。（ロ）（ハ）の場合、電話接続端子２０に外付電話機５２が接続されていたとしても、外付電話機５２のコンデンサ５２Ａに１６Ｖ以上の電荷が蓄えられることはない。
【００５７】
そこで、Ｓ２０７では、所定時間待機することによって、外付電話機５２のコンデンサ５２Ａに２４Ｖの電荷を蓄える。その後、Ｓ２１０では、ＣＰＵ４０は、ＮＰＮトランジスタ５７へのＧＩＪＩ信号をオンにする。
【００５８】
Ｓ２１５、Ｓ２２０、Ｓ２２５、Ｓ２３０、Ｓ２３５、Ｓ２４０、及び、Ｓ２４５、Ｓ２５０、Ｓ２５５、Ｓ２６０、Ｓ２６５は、それぞれ、図５のＳ１１５、Ｓ１２０、Ｓ１２５、Ｓ１３０、Ｓ１３５、Ｓ１４０、及び、Ｓ１４５、Ｓ１５０、Ｓ１５５、Ｓ１６０、Ｓ１６５、と同様の処理であり、説明を省略する。なお、Ｓ２００で実行される処理も、外付電話機接続決定処理の一例である。
【００５９】
（ロ）（ハ）の場合から、リレー５ＡがＡ位置からＢ位置に切り替えられ（Ｓ２０５）、所定時間待機（Ｓ２０７）する。その後、ＣＰＵ４０（ＡＳＩＣ３）がＮＰＮトランジスタ５７へＧＩＪＩ信号としてオン信号を出力する（Ｓ１１０）と、接続線Ｌ３１がグランド（ＧＮＤ）に導通する。
【００６０】
すると、外付電話機５２のコンデンサ５２Ａに蓄えられた２４Ｖ相当の電荷は、電圧印加回路５４によって印加される接続線Ｌ３１の電圧１６Ｖより高いため、接続線Ｌ２１、接続線Ｌ３１を経て、グランド（ＧＮＤ）に流れ込む。そのグランド（ＧＮＤ）に流れ込む電流をＤＣループ検知部６０によって検出する（Ｓ２１５：ＹＥＳ）ことで、ＣＰＵ４０は、（ロ）（ハ）の場合であっても、電話接続端子２０に外付電話機５２が接続されていると決定することができる。
【００６１】
＜メインフロー  その２＞
図４に戻り、Ｓ２０では、画像読取部により読み取られた画像データのＦＡＸ送信命令が受信されたか又は回線電圧検出部２３により呼出信号が受信されたか否かが決定される。ＦＡＸ送信命令又は呼出信号が受信された場合は（Ｓ２０：ＹＥＳ）、処理は後述のＳ３０へ移行する。ＦＡＸ送信命令及び呼出信号のいずれもが受信されない場合は（Ｓ２０：ＮＯ）、処理はＳ２５へ移行する。
【００６２】
Ｓ２５では、Ｓ２０からの移行後、所定時間が経過したか否かが決定される。所定時間が経過していない場合（Ｓ２５：ＮＯ）、処理はＳ２０へ戻る。所定時間が経過した場合（Ｓ２５：ＹＥＳ）、処理はＳ１０へ戻る。再び、ＣＰＵ４０は、第１外付電話機接続決定処理（Ｓ１００）、又は、第２外付電話機接続決定処理（Ｓ２００）のいずれかの処理を実行することになる。
【００６３】
一方、Ｓ３０では、受信されていたのがＦＡＸ送信命令であったか否かが決定される。ＦＡＸ送信命令ではない場合は（Ｓ３０：ＮＯ）、処理は後述のＳ４５へ移行する。ＦＡＸ送信命令であった場合は（Ｓ３０：ＹＥＳ）、処理はＳ３５へ移行する。Ｓ３５では、周知のＦＡＸ送信処理が実行され、画像読取部により読み取られた画像データがＦＡＸ送信される。その後、処理は後述のＳ４０へ移行する。
【００６４】
Ｓ４５では、動作モードがＦＡＸモードであるか否かが決定される。動作モードがＦＡＸモードであった場合は（Ｓ４５：ＹＥＳ）、電話回線５１を介し送られてきた信号がＦＡＸモードで受信された後、処理は後述のＳ４０へ移行する。動作モードがＦＡＸモードでなかった場合は（Ｓ４５：ＮＯ）、電話回線５１を介し送られてきた信号がＦ／Ｔモードで受信された後、処理は後述のＳ４０へ移行する。
【００６５】
Ｓ４０では、電源オフの命令、すなわち、処理の終了命令が入力されたか否かが決定される。終了命令が入力されない場合は（Ｓ４０：ＮＯ）、処理はＳ２０へ戻る。終了命令が入力された場合は（Ｓ４０：ＹＥＳ）、ＣＰＵ４０は処理を終了する。
【００６６】
＜第１実施形態の効果＞  以上説明したように、本実施形態においては、ＭＦＰ１に公衆回線網などの電話回線５１が回線接続端子１０に接続（イ）されていて、かつ、電話接続端子２０を介して外付電話機５２が接続されている場合において、リレー５Ａ，５ＢがＡ位置の状態では、外付電話機５２のコンデンサ５２Ａに電荷が蓄えられる。電話回線５１から回線接続端子１０に入力される回線電圧が、接続線Ｌ１１，Ｌ１２、リレー５Ａ，５Ｂ、接続線Ｌ２１，Ｌ２２を経由して、外付電話機５２が有するコンデンサ５２Ａに電荷を蓄えることによるものである。
本構成のＭＦＰ１では、ＡＳＩＣ３（ＣＰＵ４０）は、Ｓ１０５においてリレー５Ａ，５Ｂを用いて電話接続端子２０の接続先を接続線Ｌ１１，Ｌ１２から擬似鳴動回路５０に切り替え、かつ、擬似鳴動信号を生成する際に使用されるグランドを利用して、Ｓ１１０において擬似鳴動回路５０のグランドとの接続を非導通から導通に切り替えることで、電話接続端子２０とグランドとの間に通電経路を形成する。
外付電話機５２が電話接続端子２０に接続されている場合、外付電話機５２のコンデンサ５２Ａに蓄えられた電荷が、電話接続端子２０、接続線Ｌ２１、リレー５Ａ、接続線Ｌ３１、擬似鳴動回路５０を経て、グランドに流れ込む。Ｓ１１５においてＤＣループ検知部６０がその電流を検出するか否かによって、本構成のＭＦＰ１のＡＳＩＣ３は、Ｓ１２０においてＭＦＰ１に電話接続端子２０を介して外付電話機５２が接続されているか否かを決定することができる。
【００６７】
また、本実施形態において、ＭＦＰ１の回線接続端子１０には、公衆回線網などの電話回線５１が接続されるとは限らず、回線接続端子１０に印加する電圧が公衆回線網より小さいターミナルアダプタなどの電話回線５１が接続される場合（ハ）がある。また、ＭＦＰ１の回線接続端子１０に、電話回線５１が接続されない場合（ロ）もある。
そこで、本実施形態では、ＭＦＰ１の擬似鳴動回路５０には、接続線Ｌ３１に所定電圧を印加する電圧印加回路５４を備えられている。また、ＦＡＸ通信部３０には、回線接続端子１０に印加される電圧を検出する回線電圧検出部２３、を備える。本構成のＭＦＰ１のＡＳＩＣ３（ＣＰＵ４０）は、Ｓ２００の第２外付電話機接続決定処理において、回線電圧検出部２３が検出する電圧が所定電圧未満である場合、Ｓ２０５にて電話接続端子２０の接続先を接続線Ｌ１１，Ｌ１２から擬似鳴動回路５０に切り替えさせ、その後、Ｓ２０７にて所定時間の間、待機させる。結果、電圧印加回路５４から接続線Ｌ３１、リレー５Ａ、接続線Ｌ２１、電話接続端子２０を経由して、外付電話機５２のコンデンサ５２Ａに電圧が印加され、外付電話機５２のコンデンサ５２Ａに電荷が蓄えられる。
その後、Ｓ２１０にて擬似鳴動回路５０のグランドとの接続を非導通から導通に切り替えさせて、Ｓ２１５にてＤＣループ検知部６０に電流が流れたことを検出することで、ＡＳＩＣ３（ＣＰＵ４０）は、Ｓ２２０にて電話接続端子２０に外付電話機５２が接続されていると決定することができる。
本構成のＭＦＰ１は、回線接続端子１０にターミナルアダプタなどの電話回線５１が接続された場合（ハ）、又は、回線接続端子１０に電話回線５１が接続されていない場合（ロ）であっても、電話接続端子２０に外付電話機５２が接続されているか否かを決定することができる。
【００６８】
また、本実施形態では特に、Ｓ１５にて回線電圧検出部２３が検出する電圧が所定電圧以上である場合、Ｓ１００の第１外付電話機接続決定処理において、Ｓ１０５にて電話接続端子２０の接続先を接続線Ｌ１１，Ｌ１２から擬似鳴動回路５０に切り替えさせ、その後、所定時間の間、待機させることなく、Ｓ１１０にて擬似鳴動回路５０のグランドとの接続を非導通から導通に切り替えさせている。
本構成のＭＦＰ１は、回線電圧検出部２３が検出する電圧が所定電圧以上である場合は、所定電圧未満である場合と比べて所定時間の間、待機させることなく、ＭＦＰ１に電話接続端子２０を介して外付電話機５２が接続されているか否かを決定することができる。
【００６９】
また、本実施形態では特に、電圧印加回路５４は、擬似鳴動回路５０のグランドとの接続が非導通の場合、接続線Ｌ３１に所定電圧（２４Ｖ）を印加する。一方、擬似鳴動回路５０のグランドとの接続が導通の場合、電圧印加回路５４は接続線Ｌ３１に基準電圧（１６Ｖ）を印加する。また、擬似鳴動信号は基準電圧に振幅電圧を重畳させた信号である。
すなわち、本構成のＭＦＰ１は、電圧印加回路５４は、擬似鳴動信号の基準電圧を生成するためのものを、電話接続端子２０を介して外付電話機５２が接続されているか否かを決定する処理に利用している。
【００７０】
特に、上述したように、外付電話機５２のコンデンサ５２Ａに４８Ｖの電荷が蓄えられ、接続線Ｌ３１に電圧印加回路５４から２４Ｖの電圧が印加されている場合、リレー５Ａ，５ＢをＢ位置からＡ位置に切り換えることで、外付電話機５２のコンデンサ５２Ａから電話接続端子２０、接続線Ｌ２１、リレー５Ａ、接続線Ｌ３１の順に電流が流れる。しかし、擬似鳴動回路５０のグランドが非導通である場合、外付電話機５２のコンデンサ５２Ａから流れる電流が少なく、フォトカプラであるＤＣループ検知部６０で検出するのは難しい。本実施形態では、ＮＰＮトランジスタ５７により擬似鳴動回路５０のグランドとの接続を導通とすることにより、フォトカプラであるＤＣループ検知部６０での電流検出を可能とし、外付電話機５２の接続、非接続を検出を可能としている。
【００７１】
また、本実施形態では特に、ＡＳＩＣ３が図４のメインフローを定期的に実行することで、第１外付電話機接続決定処理又は第２外付電話機接続決定処理を定期的に実行する。これにより、外付電話機５２が電話接続端子２０に接続されていることを定期的に検出することができる。
【００７２】
また、本実施形態では特に、Ｓ１００又はＳ２００で外付電話機５２の接続を検出した場合に、Ｓ１３５又はＳ２３５にて動作モードがＦＡＸモードであった場合には、Ｓ１４０又はＳ２４０にてＡＳＩＣ３により動作モードがＦ／Ｔモードに切り替えられる。
それ故、外付電話機５２が接続されているにもかかわらず動作モードがＦＡＸ機能のみを使用するＦＡＸモードになっているモード不整合を、是正することができる。
【００７３】
また、本実施形態では特に、Ｓ１００又はＳ２００で外付電話機５２の接続を検出しない場合で、Ｓ１６０又はＳ２６０にて動作モードがＦ／Ｔモードであった場合には、Ｓ１６５又はＳ２６５にてＡＳＩＣ３により動作モードがＦ／ＴモードからＦＡＸモードに切り替えられる。
本構成のＭＦＰ１では、外付電話機５２の接続を検出しない場合に、動作モードがＦ／Ｔモードであった場合には、ＡＳＩＣ３により動作モードをＦＡＸモードに切り替えることができる。
【００７４】
本発明の第２実施形態について、図７〜図１０により説明する。第１実施形態と同等の部分には同一の符号を付し、適宜説明を省略又は簡略化する。
【００７５】
図７において、本実施形態のＭＦＰ１では、図１に示した第１実施形態の擬似鳴動回路５０から電圧印加回路５４が省略された擬似鳴動回路５０Ａが設けられるとともに、擬似鳴動回路５０Ａとは別に、電圧印加回路１５４が設けられている。なお、擬似鳴動回路５０Ａは、擬似鳴動回路部の一例であり、電圧印加回路１５４は、第２電圧印加部の一例である。
【００７６】
電圧印加回路１５４は、整流ダイオード５３と、抵抗５８と、ＮＰＮトランジスタ１５７と、を有している。整流ダイオード５３は、第１実施形態と同様、カソード側が接続線Ｌ３１に接続されている。
【００７７】
ＮＰＮトランジスタ１５７は、エミッタが整流ダイオード５３のアノード側に接続され、整流ダイオード５３を介し接続線Ｌ３１に接続されている。ＮＰＮトランジスタ１５７のコレクタに抵抗５８の一端が接続されている。ＮＰＮトランジスタ１５７のベースには、ＡＳＩＣ３のＣＰＵ４０が接続されている。ＡＳＩＣ３のＣＰＵ４０からトランジスタの駆動制御信号が出力され、ＮＰＮトランジスタ１５７のベースに入力されると、ＮＰＮトランジスタ１５７がオンする。ＮＰＮトランジスタ１５７がオンすると、抵抗５８の他端側からの電流が抵抗５８を介しＮＰＮトランジスタ１５７のコレクタから流入し、ＮＰＮトランジスタ１５７のエミッタからグランドへと流れる。
【００７８】
この結果、電圧印加回路１５４は、ＮＰＮトランジスタ５７によるグランドとの接続が非導通でかつＮＰＮトランジスタ１５７がオンの場合には、抵抗５８の他端側から、抵抗５８及び整流ダイオード５３を介し、接続線Ｌ３１に所定電圧を印加する機能を有する。所定電圧はこの例では２４Ｖであり、第２電圧の一例である。電圧印加回路１５４は、ＮＰＮトランジスタ５７によるグランドとの接続が導通でかつＮＰＮトランジスタ１５７がオンの場合には、抵抗５８の他端側から、抵抗５８及び整流ダイオード５３による電圧降下によって、接続線Ｌ３１に、擬似鳴動信号の基準となる基準電圧を印加する機能を有する。基準電圧はこの例では１６Ｖである。ＮＰＮトランジスタ５７によるグランドとの接続が導通、又は非導通の状態で、ＮＰＮトランジスタ１５７がオフの場合には、接続線Ｌ３１には電圧が印加されない。
すなわち、電圧印加回路１５４は、ＮＰＮトランジスタ１５７がオンであるかオフであるかによって、接続線Ｌ３１に電圧を印加するか否かが切り替えられる。また、第１実施形態と同様、ＮＰＮトランジスタ５７がオンするかどうかによって、擬似鳴動回路５０Ａは、グランドとの導通および非導通が切り替えられる。
【００７９】
＜メインフロー＞
図８は、第１実施形態の図４に対応する図であり、本実施形態のＭＦＰ１の電源がオンである間、ＡＳＩＣ３のＣＰＵ４０が、ＲＯＭに記憶されたプログラムに基づき実行する処理を表す、メインフローである。
【００８０】
図８に示すように、このフローでは、図４のフローのＳ１５が省略されると共に、Ｓ５とＳ７との間に新たにＳ７が設けられる。すなわち、第１実施形態と同様に、初期状態として、Ｓ５にてリレー５Ａ，５ＢがＡ位置にあり、ＮＰＮトランジスタ５７へのＧＩＪＩ信号がオフとなっている。初期状態として、Ｓ７で、ＮＰＮトランジスタ１５７がオフになっている。
【００８１】
その後、第１実施形態と同様のＳ１０へ移行し、回線電圧検出部２３が検出している電圧が０Ｖを超えているか否かが決定される。０Ｖである場合は（Ｓ１０：Ｎｏ）、回線接続端子に電話回線５１が接続されていないとみなされて、処理は後述のＳ４００の第４外付電話機接続決定処理へ移行する。０Ｖを超えている場合は（Ｓ１０：Ｙｅｓ）、処理はＳ３００の第３外付電話機接続決定処理へ移行する。
【００８２】
＜第３外付電話機接続決定処理＞
Ｓ３００である第３外付電話機接続決定処理の詳細手順を図９に示す。図９に示すように、この第３外付電話機接続決定処理では、まずＳ３０５にて、図５のＳ１０５と同様、リレー５Ａ，５Ｂが擬似鳴動回路５０側であるＡ位置からＢ位置に切り替えられる。Ｓ３０６では、ＮＰＮトランジスタ５７へのＧＩＪＩ信号が所定時間の間、オンにされる。この所定時間は第３所定時間の一例であり、例えば０．５秒である。その後、Ｓ３０７では、ＮＰＮトランジスタ５７へのＧＩＪＩ信号がオフにされる。Ｓ３０８では、ＮＰＮトランジスタ１５７への駆動制御信号が出力され、ＮＰＮトランジスタ１５７がオンにされる。
【００８３】
その後、図５のＳ１１５と同様のＳ３１５で、ＤＣループ検知部６０で所定値以上の電流が検出されたか否かが決定される。所定値以上の電流が検出されない場合は（Ｓ３１５：ＮＯ）、処理はＳ３４５へ移行する。所定値以上の電流が検出された場合は（Ｓ３１５：ＹＥＳ）、処理はＳ３２０へ移行する。以降の、Ｓ３２０、Ｓ３２５、Ｓ３３０、Ｓ３３５、Ｓ３４０、及び、Ｓ３４５、Ｓ３５０、Ｓ３５５、Ｓ３６０、Ｓ３６５は、それぞれ、図５のＳ１２０、Ｓ１２５、Ｓ１３０、Ｓ１３５、Ｓ１４０、及び、Ｓ１４５、Ｓ１５０、Ｓ１５５、Ｓ１６０、Ｓ１６５、と同様の処理であり、説明を省略する。なお、Ｓ３００で実行される処理は、外付電話機接続決定処理の一例である。
【００８４】
＜第４外付電話機接続決定処理＞
Ｓ４００である第４外付電話機接続決定処理の詳細手順を図１０に示す。図１０に示すように、この第４外付電話機接続決定処理では、まずＳ４０５にて、Ｓ３０５と同様、リレー５Ａ，５Ｂが擬似鳴動回路５０側であるＢ位置に切り替えられる。その後、Ｓ４０８で、Ｓ３０８と同様、ＮＰＮトランジスタ１５７への駆動制御信号が出力され、ＮＰＮトランジスタ１５７がオンにされる。その後、Ｓ３１５と同様のＳ４１５で、ＤＣループ検知部６０で所定値以上の電流が検出されたか否かが決定される。所定値以上の電流が検出されない場合は（Ｓ４１５：ＮＯ）、処理はＳ４４５へ移行する。所定値以上の電流が検出された場合は（Ｓ４１５：ＹＥＳ）、処理はＳ４２０へ移行する。以降の、Ｓ４２０、Ｓ４２５、Ｓ４３０、Ｓ４３５、Ｓ４４０、及び、Ｓ４４５、Ｓ４５０、Ｓ４５５、Ｓ４６０、Ｓ４６５は、それぞれ、図５のＳ１２０、Ｓ１２５、Ｓ１３０、Ｓ１３５、Ｓ１４０、及び、Ｓ１４５、Ｓ１５０、Ｓ１５５、Ｓ１６０、Ｓ１６５、と同様の処理であり、説明を省略する。なお、Ｓ４００で実行される処理も、外付電話機接続決定処理の一例である。
【００８５】
Ｓ３００の第３外付電話機接続決定処理、又は、Ｓ４００の外付電話機接続決定処理の終了後に実行される、図８のＳ２０、Ｓ２５、Ｓ３０、Ｓ３５、Ｓ４０、Ｓ４５、Ｓ５０、Ｓ５５は、図４と同様の処理であり、説明を省略する。
【００８６】
＜第２実施形態の効果＞
以上説明したように、本実施形態においては、回線電圧検出部２３が検出する電圧がゼロでない場合（Ｓ１０：ＹＥＳ）において、リレー５Ａ，５Ｂが電話接続端子２０と接続線Ｌ１１，Ｌ１２とを接続している状態では、外付電話機５２のコンデンサ５２Ａに電荷が蓄えられる。次に、Ｓ３０５にて電話接続端子２０の接続先を接続線Ｌ１１，Ｌ１２から擬似鳴動回路３０Ａに接続するようにリレー５Ａ，５Ｂを切り替えさせ、かつ、Ｓ３０６にて擬似鳴動回路３０Ａのグランドとの接続を非導通から導通に切り替えさせ、所定時間の間、待機させる。この所定時間の間において、外付電話機５２のコンデンサ５２Ａに蓄えられた電荷が、Ｓ３０８にて外付電話機５２、電話接続端子２０、接続線Ｌ２１、リレー５Ａ、接続線Ｌ３１の順に経て、グランドに流れ込む。
回線接続端子１０に公衆回線網などの電話回線５１が必ず接続されるわけではなく、ターミナルアダプタなどの電話回線５１が接続される場合がある。そのようにターミナルアダプタなどの電話回線５１が回線接続端子１０に接続された場合、中途半端な電荷が外付電話機５２のコンデンサ５２Ａに蓄えられることが考えられるため、Ｓ３０６にて電荷をグランドに流れ込ませることによって、外付電話機５２のコンデンサ５２Ａの電荷を空にする。
その後、Ｓ３０７にて擬似鳴動回路５０Ａのグランドとの接続を導通から非導通に切り替えさせてから、Ｓ３０８にて電圧印加回路１５４を用いて接続線Ｌ３１に第２電圧（２４Ｖ）を印加させる。電話接続端子２０に外付電話機５２が接続されている場合、電圧印加回路１５４から、接続線Ｌ３１、リレー５Ａ、接続線Ｌ２１、電話接続端子２０の順に、電荷が空になった外付電話機５２のコンデンサ５２Ａに向けて電流が流れる。
ＤＣループ検知部６０がその電流を検出するか否かによって、Ｓ３１５にて、電話接続端子２０を介して外付電話機５２が接続されているか否かを決定することができる。
【００８７】
また、本実施形態では特に、Ｓ１０にて回線電圧検出部２３が検出する電圧がゼロである場合（Ｓ１０：ＮＯ）には、外付電話機５２のコンデンサ５２Ａの電荷は空であると考えられる。故に、Ｓ４００の第４外付電話機接続決定処理において、擬似鳴動回路５０Ａのグランドとの接続が非導通で、Ｓ４０５にて電話接続端子２０の接続先を接続線Ｌ１１，Ｌ１２から擬似鳴動回路５０Ａに接続するようにリレー５Ａ，５Ｂを切り替えさせ、かつ、Ｓ４０８にて電圧印加回路１５４を用いて接続線Ｌ３１に第２電圧を印加させる。電話接続端子２０に外付電話機５２が接続されている場合、電圧印加回路１５４から、接続線Ｌ３１、リレー５Ａ、接続線Ｌ２１、電話接続端子２０の順に、電荷が空の外付電話機５２のコンデンサ５２Ａに向けて電流が流れる。
Ｓ４１５にてＤＣループ検知部６０がその電流を検出するか否かによって、電話接続端子２０を介して外付電話機５２が接続されているか否かを決定することができる。
【００８８】
また、本実施形態では特に、電圧印加回路１５４は、擬似鳴動回路５０Ａのグランドとの接続が非導通の場合、接続線Ｌ３１に所定電圧を印加する。一方、擬似鳴動回路５０Ａのグランドとの接続が導通の場合、電圧印加回路１５４は接続線Ｌ３１に基準電圧を印加する。また、擬似鳴動信号は基準電圧に振幅電圧を重畳させた信号である。
すなわち、本構成のＭＦＰ１においても、第１実施形態と同様、電圧印加回路１５４は、擬似鳴動信号の基準電圧を生成するためのものを、電話接続端子２０を介して外付電話機５２が接続されているか否かを決定に利用している。
【００８９】
本発明の第３実施形態について、図１１及び図１２により説明する。第１実施形態と同等の部分には同一の符号を付し、適宜説明を省略又は簡略化する。本実施形態の回路構成は、図１に示した第１実施形態とほぼ同様であるが、図１のＤＡＡ１３に備えられていた回線電圧検出部２３は省略される。
【００９０】
＜メインフロー＞
図１１は、第１実施形態の図４、第２実施形態の図８、に対応する図であり、本実施形態のＭＦＰ１の電源がオンである間、ＡＳＩＣ３のＣＰＵ４０が、ＲＯＭに記憶されたプログラムに基づき実行する処理を表す、メインフローである。
【００９１】
図１１に示すように、このフローでは、図４のフローのＳ１０、Ｓ１５、Ｓ１００、Ｓ２００が省略されると共に、Ｓ５の後に新たにＳ５００が設けられる。すなわち、第１実施形態と同様に、Ｓ５にてリレー５Ａ，５ＢがＡ位置に切り替えられ、ＮＰＮトランジスタ５７へのＧＩＪＩ信号がオフにされる。その後、処理はＳ５００の第５外付電話機接続決定処理へ移行する。
【００９２】
＜第５外付電話機接続決定処理＞
Ｓ５００である第５外付電話機接続決定処理の詳細手順を図１２に示す。図１２に示すように、この第５外付電話機接続決定処理では、まずＳ２０５にて、図５のＳ１０５と同様、リレー５Ａ，５Ｂが擬似鳴動回路５０側であるＢ位置に切り替えられる。その後、Ｓ５１２で、ＤＣループ検知部６０で所定値以上の電流が検出されたか否かが決定される。所定値以上の電流が検出された場合は（Ｓ５１２：ＹＥＳ）、処理は後述のＳ５２０へ移行する。なおこの場合が、第１の場合の一例である。所定値以上の電流が検出されない場合は（Ｓ５１２：ＮＯ）、処理はＳ５４１へ移行する。なおこの場合が、第２の場合の一例である。
【００９３】
Ｓ５４１では、所定時間待機する。この所定時間が、第２所定時間の一例である。その後Ｓ５４２では、ＮＰＮトランジスタ５７へのＧＩＪＩ信号がオンにされる。そして、Ｓ５４３で、ＤＣループ検知部６０で所定値以上の電流が検出されたか否かが決定される。所定値以上の電流が検出された場合は（Ｓ５４３：ＹＥＳ）、処理は後述のＳ５２０へ移行する。所定値以上の電流が検出されない場合は（Ｓ５４３：ＮＯ）、処理は後述のＳ５４５へ移行する。
【００９４】
以降の、Ｓ５２０、Ｓ５２５、Ｓ５３０、Ｓ５３５、Ｓ５４０、及び、Ｓ５４５、Ｓ５５０、Ｓ５５５、Ｓ５６０、Ｓ５６５は、それぞれ、図５のＳ１２０、Ｓ１２５、Ｓ１３０、Ｓ１３５、Ｓ１４０、及び、Ｓ１４５、Ｓ１５０、Ｓ１５５、Ｓ１６０、Ｓ１６５、と同様の処理であり、説明を省略する。なお、Ｓ５００で実行される処理も、外付電話機接続決定処理の一例である。
また、Ｓ５００の第５外付電話機接続決定処理が終了した後に実行される、図１１のＳ２０、Ｓ２５、Ｓ３０、Ｓ３５、Ｓ４０、Ｓ４５、Ｓ５０、Ｓ５５は、図４と同様の処理であり、説明を省略する。
【００９５】
＜第３実施形態の効果＞
以上説明したように、本実施形態においては、回線接続端子１０に印加される電圧を検出する回線電圧検出部２３がなくても、ＭＦＰ１に電話接続端子２０を介して外付電話機５２が接続されているか否かを決定することができる。
すなわち、Ｓ５００の第５外付電話機接続決定処理において、最初にＳ５０５にてリレー５Ａ，５Ｂを用いて、電話接続端子２０の接続先を接続線Ｌ１１，Ｌ１２（Ａ位置）から擬似鳴動回路５０（Ｂ位置）に切り替えさせ、Ｓ５１２にてＤＣループ検知部６０が所定値以上の電流を検出するか否かを決定する。
回線接続端子１０に第１電圧未満のターミナルアダプタなどが接続されている場合において、電話接続端子２０に外付電話機５２が接続されていると、電圧印加回路５４、接続線Ｌ３１、リレー５Ａ、接続線Ｌ２１、電話接続端子２０を順に経て、外付電話機５２のコンデンサ５２Ａに電流が流れる。故に、Ｓ５１２にてＤＣループ検知部６０により所定値以上の電流が流れたことが検出されることによって電話接続端子２０に外付電話機５２が接続されていると決定することができる。
他方、回線接続端子１０に第１電圧以上の公衆回線網の電話回線５１が接続されたり、回線接続端子１０に電話回線５１が接続されていない場合、ＤＣループ検知部６０が検出する程度の電流が流れなかったり、全く電流が流れない場合がある。
そこで、本実施形態では、上述のようにＤＣループ検知部６０が所定値以上の電流を検出できない場合、次に、Ｓ５４１にて所定時間待機させる。回線接続端子１０に電話回線５１が接続されていない場合、外付電話機５２のコンデンサ５２Ａに、電圧印加回路５４から接続線Ｌ３１、リレー５Ａ、接続線Ｌ２１、電話接続端子２０を経由して、外付電話機５２のコンデンサ５２Ａに第１電圧が印加され、この所定時間の間に外付電話機５２のコンデンサ５２Ａに電荷が蓄えられる。
回線接続端子１０に公衆回線網などの第１電圧以上の電圧を印加する電話回線５１が接続されている場合は、すでに第１電圧以上の電荷が蓄えられているため、この所定時間の間に電圧印加回路５４から外付電話機５２のコンデンサ５２Ａに第１電圧が印加されることはない。
したがって、その後、Ｓ５４２にて擬似鳴動回路５０のグランドとの接続を非導通から導通に切り替えさせることで、外付電話機５２が電話接続端子２０に接続されている場合、外付電話機５２のコンデンサ５２Ａに蓄えられた電荷が、電話接続端子２０、接続線Ｌ２１、リレー５Ａ、接続線Ｌ３１、擬似鳴動回路５０を経て、グランドに流れ込むことから、Ｓ５４３にて、電話接続端子２０を介して外付電話機５２が接続されているか否かを決定することができる。
【００９６】
なお、以上既に述べた以外にも、上記実施形態による手法を適宜組み合わせて利用しても良い。
【００９７】
その他、一々例示はしないが、本発明は、その趣旨を逸脱しない範囲内において、種々の変更が加えられて実施されるものである。
【符号の説明】
【００９８】
１                ＭＦＰ（通信装置）
３                ＡＳＩＣ（制御部）
５Ａ              リレー（第１リレー部、リレー部）
５Ｂ              リレー（第２リレー部、リレー部）
１０                回線接続端子
１１                端子（回線接続第１端子）
１２                端子（回線接続第２端子）
２０                電話接続端子
２１                端子（電話接続第１端子）
２２                端子（電話接続第２端子）
３０                ＦＡＸ通信部（通信部）
５０                擬似鳴動回路（擬似鳴動回路部）
５０Ａ              擬似鳴動回路（擬似鳴動回路部）
５４                電圧印加回路（第１電圧印加部）
６０                ＤＣループ検知部（電流検出部）
１５４                電圧印加回路（第２電圧印加部）
Ｌ１１              接続線（一方の第１通電線、一対の第１通電線、第１通電経路）
Ｌ１２              接続線（他方の第１通電線、一対の第１通電線、第１通電経路）
Ｌ２１              接続線（一方の第２通電線、一対の第２通電線、第２通電経路）
Ｌ２２              接続線（他方の第２通電線、一対の第２通電線、第２通電経路）
Ｌ３１              接続線（一方の第３通電線、一対の第３通電線、第３通電経路）
Ｌ３２              接続線（他方の第３通電線、一対の第３通電線、第３通電経路）
【図１】
2020039031.tif 000003
【図２】
2020039031.tif 000004
【図３】
2020039031.tif 000005
【図４】
2020039031.tif 000006
【図５】
2020039031.tif 000007
【図６】
2020039031.tif 000008
【図７】
2020039031.tif 000009
【図８】
2020039031.tif 000010
【図９】
2020039031.tif 000011
【図１０】
2020039031.tif 000012
【図１１】
2020039031.tif 000013
【図１２】
2020039031.tif 000014